(57)【特許請求の範囲】
【請求項１】
物件（Ａ、Ｂ）に設置された複数の設備機器のエネルギー量を抑制するエネルギー制御装置（３０）であって、
複数の前記設備機器のトータルの抑制可能なエネルギー量であるエネルギー抑制可能量を決定する抑制可能量決定部（３６ｅ）と、
前記エネルギー抑制可能量を上位のエネルギー管理装置（１０）に提示する抑制可能量提示部（３６ｆ）と、
前記エネルギー抑制可能量に基づいた抑制すべきエネルギー量である要求抑制エネルギー量、を含む抑制要求を、前記エネルギー管理装置から受け付ける抑制要求受付部（３６ｈ）と、
前記エネルギー抑制可能量に基づいて、前記設備機器のエネルギー量の抑制制御を行う抑制制御部（３６ｉ）と、
前記抑制制御の終了後の事後フォロー制御を行うフォロー制御部（３６ｊ）と、
を備え、
前記抑制制御部は、前記抑制要求受付部が前記抑制要求を受け付けた後、前記要求抑制エネルギー量を抑制するように前記抑制制御を行い、
前記事後フォロー制御は、前記抑制制御が終了した第１の設備機器を、所定期間、所定の条件で運転させる制御であり、
前記設備機器には、空調機（４０，４０，・・・）が含まれ、
前記所定の条件は、前記空調機の室外機（４１，４１，・・・）へ供給される電圧及び電流と、前記室外機に含まれる圧縮機の周波数と、前記空調機の室内機（４２，４２，・・・）のファンの風量とをそれぞれ許容できる許容最大値で固定し、且つ、設定温度を冷房時においては所定値下げ暖房時においては所定値上げる条件であり、
前記フォロー制御部は、前記抑制制御を終了した前記空調機である抑制制御終了空調機の前記事後フォロー制御の実行時に、前記抑制制御終了空調機以外の前記空調機、および／又は、前記空調機以外の他の前記設備機器の消費するエネルギー量を抑制する、
エネルギー制御装置（３０）。
【請求項２】
エネルギー量の時間帯別の単価を受け付ける受付部（２３６ｃ）と、
前記単価に基づいて、前記抑制制御を実行すべき候補時間帯を決定する候補時間帯決定部と、
をさらに備え、
前記抑制制御部は、前記候補時間帯に、前記エネルギー抑制可能量を抑制するように前記抑制制御を行う、
請求項１に記載のエネルギー制御装置。
【請求項３】
前記所定期間は、前記抑制制御の終了時から前記物件の居室内の室内温度が所定温度に達するまでの期間である、
請求項１又は２に記載のエネルギー制御装置。
【請求項４】
ユーザが重視する制御傾向の入力を受け付ける入力部（３３，２３３）と、
前記制御傾向に対応する複数の条件を記憶する記憶部（３５，２３５）と、
前記制御傾向に基づき、前記複数の条件から１の条件を選択する選択部（２３６ｇ）と、
をさらに備え、
前記抑制可能量決定部は、前記選択部によって選択された１の条件に基づき、前記エネルギー抑制可能量を決定する、
請求項２に記載のエネルギー制御装置。
【請求項５】
前記設備機器のユーザの快／不快の情報を記憶する記憶部（３５）と、
前記ユーザの快／不快を決定する快／不快決定部（３６ｌ）と、
前記空調機以外の他の設備である他設備を制御する他設備制御部（３６ｋ）と、
をさらに備え、
前記他設備制御部（３６ｋ）は、前記抑制制御の実行時、又は、前記抑制制御の実行時において前記快／不快決定部（３６ｌ）がユーザの不快を決定した時に、前記他設備に含まれる換気設備を停止する、
請求項１〜４のいずれか１項に記載のエネルギー制御装置。
【発明の詳細な説明】
【技術分野】
【０００１】
本発明は、エネルギー制御装置に関する。
【背景技術】
【０００２】
従来、例えば、特許文献１（特開２００３−３０４６３７号公報）に開示のように、時限ごとの最大需要エネルギーを連続的に予測し、最大需要エネルギーが契約エネルギー或いは管理目標エネルギーを超過するおそれが生じた場合、自動的に空調機などの対象機器を制御するシステムが存在する。
【発明の概要】
【発明が解決しようとする課題】
【０００３】
特許文献１に開示の制御では、最大需要エネルギーが、契約エネルギー或いは管理目標エネルギーを超過するおそれが生じた場合、所定の設備機器においては消費エネルギー量を抑制した状態が継続すると考えられる。このような場合、ユーザの快適性に影響を与えることが懸念される。
【０００４】
そこで、本発明の課題は、ユーザの快適性の低下を抑制できるエネルギー制御装置を提供することにある。
【課題を解決するための手段】
【０００５】
本発明の第１観点に係るエネルギー制御装置は、物件に設置された複数の設備機器のエネルギー量を抑制するエネルギー制御装置であって、抑制可能量決定部と、抑制可能量提示部と、抑制要求受付部と、抑制制御部と、フォロー制御部とを備える。抑制可能量決定部は、複数の設備機器のトータルの抑制可能なエネルギー量であるエネルギー抑制可能量を決定する。抑制可能量提示部は、エネルギー抑制可能量を上位のエネルギー管理装置に提示する。抑制要求受付部は、エネルギー抑制可能量に基づいた抑制すべきエネルギー量である要求抑制エネルギー量、を含む抑制要求を、エネルギー管理装置から受け付ける。抑制制御部は、エネルギー抑制可能量に基づいて、設備機器のエネルギー量の抑制制御を行う。フォロー制御部は、抑制制御の終了後の事後フォロー制御を行う。抑制制御部は、抑制要求受付部が抑制要求を受け付けた後、要求抑制エネルギー量を抑制するように抑制制御を行う。事後フォロー制御は、抑制制御が終了した第１の設備機器を、所定期間、所定の条件で運転させる制御である。設備機器には、空調機が含まれる。所定の条件は、空調機の室外機へ供給される電圧及び電流と、室外機に含まれる圧縮機の周波数と、空調機の室内機のファンの風量とをそれぞれ許容できる許容最大値で固定し、且つ、設定温度を冷房時においては所定値下げ暖房時においては所定値上げる条件である。フォロー制御部は、抑制制御を終了した空調機である抑制制御終了空調機の事後フォロー制御の実行時に、抑制制御終了空調機以外の空調機、および／又は、空調機以外の他の設備機器の消費するエネルギー量を抑制する。
【０００６】
本発明の第１観点に係るエネルギー制御装置では、例えば、フォロー制御部が抑制制御の開始前、及び／又は、終了後に、設備機器のユーザの快適性の低下を抑制するような事前フォロー制御、事後フォロー制御を行うことによって、ユーザの快適性の低下を抑制できる。
【０００７】
また、本発明の第１観点に係るエネルギー制御装置では、このように上位のエネルギー管理装置から消費エネルギー量の抑制要求を受ける構成を採る場合に、予め上位のエネルギー管理装置に対して予めエネルギー抑制可能量を提示することで、上位のエネルギー管理装置が、物件において抑制できるエネルギー量を把握できる。
【０００８】
また、本発明の第１観点に係るエネルギー制御装置では、例えば、フォロー制御部が、所定期間、第１の設備機器を運転能力が高い状態で運転させることで、抑制制御後のユーザの快適性を早く取り戻すことができる。
【０００９】
また、本発明の第１観点に係るエネルギー制御装置では、抑制制御後においてユーザの快適性を早く取り戻すことができる。
【００１０】
本発明の第２観点に係るエネルギー制御装置は、本発明の第１観点に係るエネルギー制御装置であって、エネルギー量の時間帯別の単価を受け付ける受付部と、単価に基づいて、抑制制御を実行すべき候補時間帯を決定する候補時間帯決定部とをさらに備える。そして、抑制制御部は、候補時間帯に、エネルギー抑制可能量を抑制するように抑制制御を行う。
【００１１】
本発明の第２観点に係るエネルギー制御装置では、例えば、単価が高い時間帯を候補時間帯として決定することができる。これにより、省エネルギー及び省コストを達成できる。
【００１２】
本発明の他の観点に係るエネルギー制御装置では、フォロー制御部は、抑制制御の開始前の事前フォロー制御を行う。事前フォロー制御は、蓄熱／蓄電と、予冷／予熱と、除湿／加湿との少なくとも１つを行う制御である。
【００１３】
本発明の他の観点に係るエネルギー制御装置では、抑制制御前に、蓄熱／蓄電、予冷／予熱、及び、除湿／加湿の少なくとも１つを行うことで、抑制制御におけるユーザの快適性の低下を、予め予防することが可能になる。
【００１４】
本発明の第３観点に係るエネルギー制御装置は、本発明の第１又は第２観点に係るエネルギー制御装置であって、設備機器には、空調機が含まれる。また、所定期間は、抑制制御の終了時から物件の居室内の室内温度が所定温度に達するまでの期間である。
【００１５】
本発明の第３観点に係るエネルギー制御装置では、ユーザが快適性を取り戻すまで事後フォロー制御でフォローし続けることができる。
【００１６】
本発明の第４観点に係るエネルギー制御装置は、本発明の第２観点に係るエネルギー制御装置であって、ユーザが重視する制御傾向の入力を受け付ける入力部と、制御傾向に対応する複数の条件を記憶する記憶部と、制御傾向に基づき、複数の条件から１の条件を選択する選択部とをさらに備える。そして、抑制可能量決定部は、選択部によって選択された１の条件に基づき、エネルギー抑制可能量を決定する。
【００１７】
本発明の第４観点に係るエネルギー制御装置では、ユーザの意向が抑制制御に反映されやすくなる。
【００１８】
本発明の第５観点に係るエネルギー制御装置は、本発明の第１観点〜第４観点のいずれかに係るエネルギー制御装置であって、空調機が含まれ、記憶部と、快／不快決定部と、他設備制御部とをさらに備える。記憶部は、設備機器のユーザの快／不快の情報を記憶する。快／不快決定部は、ユーザの快／不快を決定する。他設備制御部は、空調機以外の他の設備である他設備を制御する。他設備制御部は、抑制制御の実行時、又は、抑制制御の実行時において快／不快決定部がユーザの不快を決定した時に、他設備に含まれる換気設備を停止する。
【００１９】
本発明の第５観点に係るエネルギー制御装置では、外部からの冷気／暖気の量を抑制できるので、設備機器が設置される居室内の空調負荷の低減が可能になる。
【発明の効果】
【００２０】
本発明の第１観点に係るエネルギー制御装置では、ユーザの快適性の低下を抑制できる。また、本発明の第１観点に係るエネルギー制御装置では、上位のエネルギー管理装置が物件において抑制できるエネルギー量を把握できる。また、本発明の第１観点に係るエネルギー制御装置では、抑制制御後のユーザの快適性を早く取り戻すことができる。また、本発明の第１観点に係るエネルギー制御装置では、抑制制御後においてユーザの快適性を早く取り戻すことができる。
【００２１】
本発明の第２観点に係るエネルギー制御装置では、例えば、単価が高い時間帯を候補時間帯として決定することができるので、省エネルギー及び省コストを達成できる。
【００２２】
本発明の他の観点に係るエネルギー制御装置では、抑制制御におけるユーザの快適性の低下を、予め予防することが可能になる。
【００２３】
本発明の第３観点に係るエネルギー制御装置では、ユーザが快適性を取り戻すまで事後フォロー制御でフォローし続けることができる。
【００２４】
本発明の第４観点に係るエネルギー制御装置では、ユーザの意向が抑制制御に反映されやすくなる。
【００２５】
本発明の第５観点に係るエネルギー制御装置では、外部からの冷気／暖気の量を抑制できるので、設備機器が設置される居室内の空調負荷の低減が可能になる。
【図面の簡単な説明】
【００２６】
【図１】第１実施形態に係るエネルギー管理システムの概略構成図。
【図２】第１実施形態に係る上位コントローラの概略構成図。
【図３】第１実施形態に係る下位コントローラの概略構成図。
【図４】第１実施形態に係る条件記憶領域に記憶される条件の一例を示す図。
【図５】第１実施形態に係る下位コントローラにおける処理の流れを示すフローチャート。
【図６】変形例１Ａに係る下位コントローラにおける処理の流れを示すフローチャート。
【図７】変形例１Ａに係る下位コントローラの概略構成図。
【図８】第２実施形態に係るエネルギー管理システムの概略構成図。
【図９】第２実施形態に係る上位コントローラの概略構成図。
【図１０】第２実施形態に係る下位コントローラの概略構成図。
【図１１】第２実施形態に係る条件記憶領域に記憶される条件の一例を示す図。
【図１２】単価情報の一例を示す図。
【図１３】最安単価情報の一例を示す図。
【図１４】エネルギー単価と時刻との関係を示すグラフ。
【図１５】第２実施形態に係る下位コントローラの処理を示すフローチャート。
【図１６】第２実施形態に係る下位コントローラにおけるエネルギー抑制制御の実行からの処理を示すフローチャート。
【図１７】変形例２Ａに係る下位コントローラの概略構成図。
【図１８】所定時間毎の予測消費エネルギー量を示すテーブル。
【図１９】所定時間毎の予測エネルギー価格を示すテーブル。
【図２０】変形例２Ｂに係る、エネルギー単価と時刻との関係を示すグラフ。
【発明を実施するための形態】
【００２７】
以下、図面を参照しながら、本発明の一実施形態に係るエネルギー管理システム１００について説明する。
【００２８】
＜第１実施形態＞
（１）エネルギー管理システム１００の全体の概略構成
図１は、本発明の一実施形態に係るエネルギー管理システム１００の概略構成図である。
【００２９】
エネルギー管理システム１００は、エネルギーをビルや工場等の建物である物件Ａ、Ｂに供給する電力会社１と、設置される複数の機器（空調機４０，４０，・・・、４０，４０，・・・、給湯器、照明、その他動力を発生させる機器）によってエネルギーの消費が行われる上述の物件Ａ、Ｂとの間において、エネルギーの需要に対する供給量を調整することで、電力会社１から物件Ａ、Ｂに供給されるエネルギーを管理するためのシステムである。
【００３０】
具体的に簡単に説明すると、エネルギー管理システム１００では、各物件Ａ、Ｂ（具体的には、後述する下位コントローラ３０、３０）は、電力会社１（具体的には、後述する上位コントローラ１０）に対してどれだけエネルギー量を抑制できるかを示すエネルギー抑制可能量を複数算出（決定）して提示する。次に、電力会社１は、複数のエネルギー抑制可能量の提示を受けて、そのうちの１のエネルギー抑制可能量を選択し、当該選択したエネルギー抑制可能量に基づいてエネルギー量の抑制を行うように各物件Ａ、Ｂに要求する。なお、電力会社１は、当該要求を行わない場合もある。ここで、電力会社１から各物件Ａ、Ｂへの、エネルギー量の抑制に関する要求を抑制要求という。また、電力会社１からの抑制要求に含まれ、電力会社１が、選択したエネルギー抑制可能量に基づいて各物件Ａ、Ｂに対して要求する、物件Ａ、Ｂにおける空調機４０，４０，・・・全体で抑制すべきエネルギー量を要求抑制エネルギー量という。すなわち、要求抑制エネルギー量は、複数のエネルギー抑制可能量のうち電力会社１に選択された１のエネルギー抑制可能量と同じである。
【００３１】
そして、各物件Ａ、Ｂは、当該抑制要求を受けて、抑制要求をうけてから第１時間（例えば、５分）以内に、所定の条件に基づいてエネルギー量を抑制するエネルギー抑制制御（抑制制御に相当）を行い、且つ、各物件Ａ、Ｂの空調機４０，４０，・・・のトータルの全抑制エネルギー量が抑制要求に基づく要求抑制エネルギー量に到達するようにしている。ここで、所定の条件とは、電力会社１によって選択されたエネルギー抑制可能量を決定した際前提となった条件である。
【００３２】
エネルギー管理システム１００は、主として、電力会社１に設置され物件Ａ、Ｂで消費されるエネルギー量の管理及び制御を行う上位コントローラ（エネルギー管理装置に相当）１０と、各物件Ａ、Ｂに設置され主として各物件Ａ、Ｂに設置される空調機４０，４０，・・・のエネルギー量の直接の管理及び制御を行う下位コントローラ（エネルギー制御装置に相当）３０とを有する。各物件Ａ、Ｂには、空調機４０，４０，・・・の他、各空調機４０，４０，・・・に電力を供給する電源６と、電源６から各空調機４０，４０，・・・に供給されるエネルギー量を計測する電力メーター７とが設置されている。
【００３３】
なお、空調機４０，４０，・・・は、室外機４１，４１，・・・と、室内機４２，４２，・・・と、室外機４１，４１，・・・及び室内機４２，４２，・・・を接続する冷媒配管（図示せず）とから構成されている。図１の空調機４０，４０，・・・は、本実施形態では、マルチ式を想定しているが、ペア式であってもよい。また、図１では、電力会社１がエネルギー量を管理する物件としてＡ、Ｂの２つの物件のみを明示しているが、物件数は、これに限られるものではない。
【００３４】
上位コントローラ１０と下位コントローラ３０、３０とは、インターネット８０ａを介して接続されている。また、各物件Ａ、Ｂにおいて、空調機４０，４０，・・・と、下位コントローラ３０とは、専用の制御線８０ｂを介して接続されている。
【００３５】
エネルギー管理システム１００では、以上のような構成の下、下位コントローラ３０、３０と上位コントローラ１０とが制御指令等のデータのやり取りを行うことによって、各物件Ａ、Ｂで消費されるエネルギー量の管理が行われている。
【００３６】
以下、エネルギー管理システム１００を主として構成する各部の構成について適宜図面を参照しながら説明する。
【００３７】
（２）各部の構成
（２−１）上位コントローラ１０の構成
図２は、上位コントローラ１０の概略構成図である。以下、図２を用いて上位コントローラ１０の構成について説明する。
【００３８】
上位コントローラ１０は、図２に示すように、主として、通信部１１と、表示部１２と、入力部１３と、記憶部１４と、制御部１５とを有している。
【００３９】
（２−１−１）通信部１１
通信部１１は、上位コントローラ１０をインターネット８０ａに接続可能にするネットワークインターフェースである。
【００４０】
（２−１−２）表示部１２
表示部１２は、主として、ディスプレイから構成されている。表示部１２には、後述する記憶部１４に記憶される各種情報を示す管理画面が表示される。
【００４１】
（２−１−３）入力部１３
入力部１３は、主として、操作ボタン、キーボード、マウス等から構成されており、管理者等の入力を受け付ける。管理者等が入力部１３への入力操作を行うことにより、後述する制御部１５によって内部処理が実行される。
【００４２】
（２−１−４）記憶部１４
記憶部１４は、主として、ハードディスク等から構成され、管理物件記憶領域１４ａと、物件情報記憶領域１４ｂと、提示内容記憶領域１４ｃとを保持している。
【００４３】
（２−１−４−１）管理物件記憶領域１４ａ
管理物件記憶領域１４ａには、電力会社１の管理対象の物件Ａ、Ｂが記憶されている。具体的には、物件Ａ、Ｂの名称、物件Ａ、Ｂの規模、必要最小エネルギー量等に関する情報が記憶されている。
【００４４】
（２−１−４−２）物件情報記憶領域１４ｂ
物件情報記憶領域１４ｂには、後述する下位コントローラ３０、３０から送られたエネルギー消費量に関する情報等を含む物件Ａ、Ｂに関する物件情報が記憶されている。エネルギー消費量に関する情報とは、各物件Ａ、Ｂで所定期間に消費されたエネルギー量に関する情報である。
【００４５】
（２−１−４−３）提示内容記憶領域１４ｃ
提示内容記憶領域１４ｃには、下位コントローラ３０、３０によって提示された複数のエネルギー抑制可能量に関する情報が記憶されている。
【００４６】
（２−１―５）
制御部１５は、主として、ＣＰＵ、ＲＯＭ、ＲＡＭ等から構成されている。制御部１５は、記憶部１４に記憶されているプログラムを読み出して実行することにより、提示受付部１５ａ、抑制要求送信部１５ｂ等として機能する。
【００４７】
（２−１―５−１）提示受付部１５ａ
提示受付部１５ａは、物件Ａ、Ｂから送られる複数のエネルギー抑制可能量を受け付ける。
【００４８】
（２−１−５−２）抑制要求送信部１５ｂ
抑制要求送信部１５ｂは、提示受付部１５ａが受け付ける各物件Ａ、Ｂから送られた複数のエネルギー抑制可能量に基づいて、各物件Ａ、Ｂに要求する１のエネルギー抑制可能量をそれぞれ決定し、決定した内容に応じた指令（抑制要求）を各物件Ａ、Ｂに送信する。
【００４９】
（２−２）下位コントローラ３０、３０の構成
図３は、下位コントローラ３０、３０の概略構成図である。
【００５０】
以下、図３を用いて、物件Ａ、Ｂに設置される下位コントローラ３０、３０について説明する。下位コントローラ３０、３０は、各物件Ａ、Ｂに一台ずつ設置されている。なお、以下の説明では、物件Ａに設置された下位コントローラ３０について説明するが、物件Ｂに設置された下位コントローラ３０についても同様の構成であるものとする。
【００５１】
下位コントローラ３０は、図３に示すように、主として、通信部３１と、表示部３２と、入力部３３と、タイマー部３４と、記憶部３５と、制御部３６とを有している。
【００５２】
（２−２−１）通信部３１
通信部３１は、下位コントローラ３０を、インターネット８０ａに接続可能にするインターフェースである。
【００５３】
（２−２−２）表示部３２
表示部３２は、主として、ディスプレイから構成されている。表示部３２には、空調機４０，４０，・・・の運転状態（運転／停止の状態、運転モード（冷房モード、暖房モード等）、風向、風量、湿度、吸込温度、設定温度等）を示す画面が表示される。
【００５４】
（２−２−３）入力部３３
入力部３３は、主として、上記ディスプレイを覆うタッチパネルから構成されている。タッチパネル上には、空調機４０，４０，・・・に対する発停信号のほか、設定温度の変更、運転モードの変更など、空調機４０，４０，・・・に対する各種指令を入力するためのボタンが配される。管理者等がタッチパネル上のボタンに触れることによって、当該ボタンに対応する制御処理が後述する制御部３６によって実行される。
【００５５】
（２−２−４）タイマー部３４
タイマー部３４は、時刻、日、月、年、曜日、所定時刻を基準とした経過時間などの時間的要素を計測する。具体的な計測については、適宜必要な箇所で説明する。
【００５６】
（２−２−５）記憶部３５
記憶部３５は、ハードディスク等から構成され、主として、運転状況記憶領域３５ａと、条件記憶領域３５ｂと、制御情報記憶領域３５ｃと、メーター値記憶領域３５ｄとを保持している。
【００５７】
（２−２−５−１）運転状況記憶領域３５ａ
運転状況記憶領域３５ａには、後述する運転状況把握部３６ａによって把握された各空調機４０，４０，・・・の運転状況等が記憶されている。空調機４０，４０，・・・の運転状況には、空調機４０，４０，・・・の運転／停止の状態、設定温度、冷房／暖房等の運転モード、稼働時間、稼働率、稼働時の運転能力、室外機４１，４１，・・・及び室内機４２，４２，・・・の各種機器の状態値（ファンの回転数、圧縮機の回転数、膨張弁の開度、冷媒温度、冷媒圧力等）、室外温度、室内温度、吸込温度、設定温度と室内温度との許容乖離度、エネルギー抑制制御の実行／非実行等が含まれる。ここで、空調機４０，４０，・・・の稼動時の運転能力とは、空調機４０，４０，・・・の定格能力に対して、稼働時の空調機４０，４０，・・・（具体的には、例えば、圧縮機の稼動時の周波数）がどの程度の能力で動作しているかを示すものである。なお、運転状況に含まれる各種の温度や圧力等は、各種のセンサ等によって検出される。
【００５８】
（２−２−５−２）条件記憶領域３５ｂ
図４は、条件記憶領域３５ｂに記憶された条件の一例を示す図である。
【００５９】
条件記憶領域３５ｂには、上位コントローラ１０に対して複数のエネルギー抑制可能量を提示するための条件が、空調機４０，４０，・・・毎に記憶されている。複数のエネルギー抑制可能量を提示するための条件には、図４に示すように、エネルギー抑制制御を実行する期間（以下、適宜エネルギー抑制制御の継続期間という）（分）と、エネルギー抑制制御時の運転能力（％）との関係が含まれる。具体的には、条件記憶領域３５ｂには、エネルギー抑制制御の継続期間と、エネルギー抑制制御の実行時に許容できる空調機４０，４０，・・・の運転能力（以下、許容運転能力という）とが関連付けて記憶されている。
【００６０】
ここで、条件に含まれる許容運転能力は、ユーザによって入力された入力値に基づくものである。なお、許容運転能力は、演算式によって求められるものであってもよいし、ユーザの快／不快を学習することによって修正されるものであってもよい。
【００６１】
また、ここで、エネルギー抑制制御とは、上位コントローラ１０に提示するエネルギー抑制可能量を実現するための制御である。
【００６２】
（２−２−５−３）制御情報記憶領域３５ｃ
制御情報記憶領域３５ｃには、後述する抑制制御部３６ｉやフォロー制御部３６ｊによって生成された空調機４０，４０，・・・に対する制御指令の内容が記憶されている。
【００６３】
（２−２−５−４）メーター値記憶領域３５ｄ
メーター値記憶領域３５ｄには、後述するメーター値取得部３６ｂによって取得されるメーター値が空調機４０，４０，・・・毎に記憶される。
【００６４】
（２−２−６）制御部３６
制御部３６は、ＣＰＵ、ＲＯＭ、ＲＡＭ等から構成され、主として、運転状況把握部３６ａ、メーター値取得部３６ｂ、定期算出部３６ｃｄ（定期エネルギー消費量算出部３６ｃ、定期推定消費量算出部３６ｄ）、定期抑制可能量決定部３６ｅ、定期抑制可能量提示部３６ｆ、提示制御部３６ｇ（第１処理部３６ｇａ、第２処理部３６ｇｂ）、抑制要求受付部３６ｈ、抑制制御部３６ｉ、フォロー制御部３６ｊ等として機能する。
【００６５】
以下、制御部３６の各機能の説明を行う。
【００６６】
なお、下位コントローラ３０の制御部３６は、空調機４０，４０，・・・（室内機４２，４２，・・・）毎に制御を行っている。各室内機４２，４２，・・・を独立して制御することにより、個々の室内機４２，４２，・・・や室内機４２，４２，・・・が設置される居室毎に対応した空調制御を行うことができる。ここで、制御には、エネルギー抑制制御の実行／非実行、エネルギー抑制制御の緩和／強化等が挙げられる。
【００６７】
（２−２−６−１）運転状況把握部３６ａ
運転状況把握部３６ａは、所定の時間間隔（本実施形態では、５分間隔）で、各空調機４０，４０，・・・の運転状況を把握する。運転状況把握部３６ａは、当該運転状況を上述の運転状況記憶領域３５ａに格納する。
【００６８】
（２−２−６−２）メーター値取得部３６ｂ
メーター値取得部３６ｂは、電力メーター７によって計測されたメーター値（エネルギー量に関するデータ）を所定の時間間隔（例えば、１分間隔）で取得する。メーター値取得部３６ｂは、当該メーター値を、上述のメーター値記憶領域３５ｄに格納する。
【００６９】
（２−２−６−３）定期算出部３６ｃｄ
定期算出部３６ｃｄは、各空調機４０，４０，・・・毎の、定期エネルギー消費量と定期推定消費量とを所定の時間間隔（例えば、３０分間隔）で算出する。なお、ここでいう算出には、予測や推定の概念が含まれるものとする。
【００７０】
ここで、定期エネルギー消費量とは、所定時間（例えば、３０分）毎に算出される、エネルギー抑制制御を行わない通常制御を行う場合に消費される各空調機４０，４０，・・・のエネルギー量である。定期推定消費量とは、所定時間（例えば、３０分）毎に算出される、図４に示す条件Ａ〜Ｃのような条件に応じて、エネルギー量を抑制するエネルギー抑制制御を実行する場合に消費される各空調機４０，４０，・・・のエネルギー量である。
【００７１】
定期算出部３６ｃｄは、具体的には、定期エネルギー消費量を算出する定期エネルギー消費量算出部３６ｃと、定期推定消費量を算出する定期推定消費量算出部３６ｄとして機能する。以下に、これらの動作について簡単に説明する。
【００７２】
（２−２−６−３−１）定期エネルギー消費量算出部３６ｃ
定期エネルギー消費量算出部３６ｃは、運転状況把握部３６ａによって把握された各空調機４０，４０，・・・の現在の運転状況と、メーター値記憶領域３５ｄに記憶されている各空調機４０，４０，・・・のメーター値とに基づいて、定期エネルギー消費量を算出する。具体的には、定期エネルギー消費量算出部３６ｃは、通常制御を所定時間継続した場合の各空調機４０，４０，・・・の定期エネルギー消費量を算出している。ここで、所定時間とは、条件記憶領域３５ｂに記憶されたエネルギー抑制制御の継続期間（例えば、図４に示すように、６０分、３０分、１５分）を指す。すなわち、図４に示すような場合、定期エネルギー消費量算出部３６ｃは、各空調機４０，４０，・・・の通常制御を６０分間、３０分間、１５分間行った場合のそれぞれの定期エネルギー消費量を算出している。
【００７３】
（２−２−６−３−２）定期推定消費量算出部３６ｄ
定期推定消費量算出部３６ｄは、運転状況把握部３６ａによって把握された各空調機４０，４０，・・・の現在の運転状況と、メーター値記憶領域３５ｄに記憶されている各空調機４０，４０，・・・のメーター値とに基づいて、定期推定消費量を算出する。具体的には、定期推定消費量算出部３６ｄは、例えば図４に示すような各条件で、各空調機４０，４０，・・・の制御を行った場合の、空調機４０，４０，・・・毎の定期推定消費量を算出している。すなわち、定期推定消費量算出部３６ｄは、各空調機４０，４０，・・・を、６０分間、許容運転能力を８０％で運転させる場合、３０分間、許容運転能力を６０％で運転させる場合、１５分間、許容運転能力を４０％で運転させる場合のそれぞれの定期推定消費量を算出する。なお、定期推定消費量は、定格電力（ｋＷ）と許容運転能力（％）との積により求められる。
【００７４】
（２−２−６−４）定期抑制可能量決定部３６ｅ
定期抑制可能量決定部３６ｅは、所定時間（例えば、３０分）毎に、現在の運転状況における各空調機４０，４０，・・・の抑制可能なエネルギー量である定期個別エネルギー抑制可能量、及び、空調機４０，４０，・・・全体の抑制可能なエネルギー量である定期全エネルギー抑制可能量を決定する。定期抑制可能量決定部３６ｅの具体的な動作については、後に説明する。
【００７５】
（２−２−６−５）定期抑制可能量提示部３６ｆ
定期抑制可能量提示部３６ｆは、定期抑制可能量決定部３６ｅによって決定された、条件別の複数の定期エネルギー抑制可能量を、上位コントローラ１０に提示する。具体的には、定期抑制可能量提示部３６ｆは、複数の定期エネルギー抑制可能量を、通信部３１を介して上位コントローラ１０に送ることで上位コントローラ１０に提示している。
【００７６】
なお、定期抑制可能量提示部３６ｆは、後述する提示制御部３６ｇの制御に応じて、定期エネルギー抑制可能量の提示を行う。これについては、提示制御部３６ｇの箇所で説明する。
【００７７】
（２−２−６−６）提示制御部３６ｇ
提示制御部３６ｇは、上述の定期抑制可能量提示部３６ｆによる上位コントローラ１０への定期エネルギー抑制可能量の提示を制御する。詳細には、提示制御部３６ｇは、第１処理部３６ｇａと、第２処理部３６ｇｂとして機能する。
【００７８】
第１処理部３６ｇａは、定期抑制可能量提示部３６ｆによる上位コントローラ１０への定期エネルギー抑制可能量の提示を制限する。具体的には、第１処理部３６ｇａは、後述する抑制制御部３６ｉによって、エネルギー抑制制御を行う旨を示す制御指令が生成された後の所定時間、定期抑制可能量提示部３６ｆによる定期エネルギー抑制可能量の提示を制限する。ここで、エネルギー抑制制御を行う旨を示す制御指令が生成された後の所定期間とは、エネルギー抑制制御を継続させる継続期間である。第１処理部３６ｇａが定期エネルギー抑制可能量の提示を制限することで、上述の定期抑制可能量提示部３６ｆは、上位コントローラ１０に対して、零回答もしくは定期個別エネルギー抑制可能量及び定期全エネルギー抑制可能量を０ｋＷとする回答を提示する。
【００７９】
一方、第２処理部３６ｇｂは、定期抑制可能量提示部３６ｆによる定期エネルギー抑制可能量の提示を許容する。具体的には、エネルギー抑制制御を実行していない時間は、第２処理部３６ｇｂは、定期抑制可能量提示部３６ｆによる定期エネルギー抑制可能量の提示を許容する。
【００８０】
なお、第１処理部３６ｇａによって提示の制限が行われない限りは、定期抑制可能量提示部３６ｆは、定期エネルギー抑制可能量を、所定時間（例えば、３０分）毎に、上位コントローラ１０に対して提示する。
【００８１】
（２−２−６−７）抑制要求受付部３６ｈ
抑制要求受付部３６ｈは、上位コントローラ１０から送られるエネルギー量の抑制に関する抑制要求を受け付ける。なお、この抑制要求には、上述したように、要求抑制エネルギー量（すなわち、上位コントローラ１０に提示した複数の定期全エネルギー抑制可能量のうち上位コントローラ１０が選択した１の定期全エネルギー抑制可能量）が含まれる。
【００８２】
（２−２−６−８）抑制制御部３６ｉ
抑制制御部３６ｉは、抑制要求受付部３６ｈが上位コントローラ１０から送られる抑制要求を受け付けると、エネルギー抑制制御対象空調機のエネルギー抑制制御を開始する。
【００８３】
ここで、エネルギー抑制制御対象空調機とは、エネルギー抑制制御の対象となる空調機であり、定期エネルギー抑制可能量の決定時においてエネルギー量を抑制できるとして定期エネルギー抑制可能量が決定された空調機である。
【００８４】
なお、抑制制御部３６ｉは、抑制要求の受付時から第１時間以内に、エネルギー抑制制御対象空調機のトータルの抑制エネルギー量が要求抑制エネルギー量に到達するように、エネルギー抑制制御対象空調機の消費エネルギー量を制御している。抑制制御部３６ｉの具体的な動作については後述する。
【００８５】
（２−２−６−９）フォロー制御部３６ｊ
フォロー制御部３６ｊは、エネルギー抑制制御が終了した後に、事後フォロー制御を実行する。フォロー制御部３６ｊの具体的な動作については後述する。
【００８６】
（３）エネルギー管理システム１００で行われる制御処理について
図５は、下位コントローラ３０における処理の流れを示すフローチャートである。
【００８７】
以下、下位コントローラ３０における処理の流れを、図５を用いて説明する。
【００８８】
なお、本実施形態では、定期エネルギー抑制可能量を決定する際の前提となった条件で、抑制要求の受付時における各空調機４０，４０，・・・の制御を行うことを前提としている。具体的には、定期エネルギー抑制可能量を決定する際の前提となった条件で、抑制要求の受付時におけるエネルギー抑制制御対象空調機のエネルギー抑制制御を行うことを前提としている。より具体的には、例えば、ある第１空調機の上位コントローラ１０から選択された定期全エネルギー抑制可能量が、図４のＡに示すように６０分間（エネルギー抑制制御の継続期間の分）、許容運転能力８０％で運転するといった条件に基づくものであるとする。このとき、下位コントローラ３０が上位コントローラ１０から抑制要求を受け付けると、抑制制御部３６ｉは、第１空調機を、６０分間（エネルギー抑制制御の継続期間の分）、許容運転能力８０％で運転することを前提としている。
【００８９】
図５に示すように、まず、ステップＳ１０１では、定期抑制可能量決定部３６ｅは、定期エネルギー抑制可能量を決定する。
【００９０】
具体的には、定期抑制可能量決定部３６ｅは、定期エネルギー消費量算出部３６ｃによって算出された定期エネルギー消費量と、定期推定消費量算出部３６ｄによって算出された定期推定消費量とに基づいて、各空調機４０，４０，・・・の抑制可能なエネルギー量である定期個別エネルギー抑制可能量を、所定時間（例えば、３０分）毎に決定している。より具体的には、定期抑制可能量決定部３６ｅは、定期エネルギー消費量と、定期推定消費量との差を、定期個別エネルギー抑制可能量として決定する（定期個別エネルギー抑制可能量＝定期エネルギー消費量−定期推定消費量）。さらに具体的には、条件記憶領域３５ｂに記憶されている条件別の各空調機４０，４０，・・・の定期個別エネルギー抑制可能量を決定している。
【００９１】
また、定期抑制可能量決定部３６ｅは、空調機４０，４０，・・・全体の定期全エネルギー抑制可能量W（ｋＷ）（エネルギー抑制可能量に相当）を、式：Ｗ＝Σ（定期エネルギー消費量−定期推定消費量）を用いて算出（決定）している。より具体的には、定期抑制可能量決定部３６ｅは、条件記憶領域３５ｂに記憶されている条件別の空調機４０，４０，・・・全体の定期全エネルギー抑制可能量を決定する。すなわち、条件が図４に示すような条件の場合、定期抑制可能量決定部３６ｅは、３つの条件に対応した三種類の定期全エネルギー抑制可能量及び定期個別エネルギー抑制可能量（以下では、これらを総称して適宜定期エネルギー抑制可能量という）を決定する。
【００９２】
ステップＳ１０２では、定期抑制可能量提示部３６ｆは、複数の条件別の定期エネルギー抑制可能量を上位コントローラ１０に提示する。
【００９３】
このとき、定期抑制可能量提示部３６ｆは、上位コントローラ１０に対して、上位コントローラ１０から送られる抑制要求を受付可能な抑制要求受付有効時間をさらに提示している。
【００９４】
ステップＳ１０３では、抑制制御部３６ｉは、抑制要求受付部３６ｈが、上位コントローラ１０からの抑制要求を受け付けたか否かを判定する。受け付けたと判定する場合は、ステップＳ１０４へ移行し、他方、受け付けていないと判定する場合は、ステップＳ１０３の処理を繰り返す。
【００９５】
なお、ここでは、定期抑制可能量提示部３６ｆが上位コントローラ１０に対して複数の定期エネルギー抑制可能量を提示してから抑制要求受付有効時間が終了するまでをタイマー部３４が計測している。そして、複数の定期エネルギー抑制可能量を提示してから抑制要求受付有効時間以内に抑制要求受付部３６ｈが上位コントローラ１０から抑制要求を受け付けた場合にステップＳ１０４に移行し、複数の定期エネルギー抑制可能量を提示してから抑制要求受付有効時間以内であれば、抑制要求受付部３６ｈが抑制要求を受け付けるまで待機している（すなわち、ステップＳ１０３の処理を再度行っている）。
【００９６】
よって、抑制要求受付部３６ｈが、上位コントローラ１０からの抑制要求を、複数の定期エネルギー抑制可能量を提示してから抑制要求受付有効時間以内に受け付けない場合は、再度ステップＳ１０１に戻ってそれ以降の処理を行うことになる。すなわち、ステップＳ１０３においては、複数の定期エネルギー抑制可能量を提示してから抑制要求受付有効時間を経過していない場合は、抑制要求受付部３６ｈが抑制要求を受け付けるまで待機し（ステップＳ１０３の処理を行い）、図示はしていないが、複数の定期エネルギー抑制可能量を提示してから抑制要求受付有効時間を経過している場合は、ステップＳ１０１に戻ってそれ以降の処理を行っている。
【００９７】
ここでは、定期エネルギー抑制可能量を提示してから抑制要求受付有効時間を経過した場合は、フラグの設定等を行って抑制要求受付部３６ｈが上位コントローラ１０からの抑制要求を受け付けないようにしている。
【００９８】
ステップＳ１０４では、抑制制御部３６ｉは、エネルギー抑制制御対象空調機のエネルギー抑制制御を開始する。具体的には、抑制制御部３６ｉは、エネルギー抑制制御対象空調機に対する、エネルギー抑制制御を開始する旨の制御指令を生成し、当該制御指令をエネルギー抑制制御対象空調機に送信することにより、エネルギー抑制制御対象空調機のエネルギー抑制制御を開始する。
【００９９】
エネルギー抑制制御を開始する旨の制御指令には、定期エネルギー抑制可能量の決定の際の前提となった条件に含まれる許容運転能力、エネルギー抑制制御の継続期間が含まれる。すなわち、抑制制御部３６ｉは、エネルギー抑制制御対象空調機に対して、許容運転能力で、エネルギー抑制制御の継続期間運転させる制御指令を生成している。
【０１００】
なお、当該制御指令は、抑制制御部３６ｉによって、制御情報記憶領域３５ｃに記憶される。
【０１０１】
ステップＳ１０５では、フォロー制御部３６ｊは、エネルギー抑制制御対象空調機のエネルギー抑制制御の継続期間（抑制制御期間））が経過したか否かを判定する。経過したと判定する場合は、ステップＳ１０６に移行する。他方、経過していないと判定する場合は、ステップＳ１０５の処理を繰り返す。ここで、エネルギー抑制制御の継続時間は、具体的には、下位コントローラ３０が上位コントローラ１０に提示した複数の定期全エネルギー抑制可能量のうち上位コントローラ１０が選択した１の定期全エネルギー抑制可能量を決定する際の前提となった条件に含まれるエネルギー抑制制御の継続期間である。
【０１０２】
ここで、定期エネルギー抑制可能量の決定時及び提示時と、抑制要求の受付時との間でユーザの利用状況の変化（居室内の人数の増加等）や、外部環境の変化（外気温度の上昇等）等の種々の変化があった場合、定期エネルギー抑制可能量の決定の際の前提となった条件と同様の条件で、抑制要求の受付後の空調機を運転すると、ユーザの快適性に影響することが懸念される。
【０１０３】
そこで、ステップＳ１０６では、抑制制御部３６ｉが、エネルギー抑制制御対象空調機のエネルギー抑制制御を終了するとともに、フォロー制御部３６ｊが、事後フォロー制御を開始する。具体的には、抑制制御部３６ｉがエネルギー抑制制御を終了した後、フォロー制御部３６ｊが、エネルギー抑制制御対象空調機であった空調機、すなわち、エネルギー抑制制御が終了した空調機（第１の設備機器に相当）に対する、事後フォロー制御を開始する旨の制御指令を生成する。ここで、エネルギー抑制制御対象空調機であった空調機、すなわち、エネルギー抑制制御が終了した空調機を、抑制制御終了空調機という。そして、フォロー制御部３６ｊは、当該生成した制御指令を抑制制御終了空調機に送信する。
【０１０４】
ここで、事後フォロー制御とは、抑制制御終了空調機を、所定期間、フルパワー運転させる制御である。ここでは、事後フォロー制御を行うことで、エネルギー抑制制御の実行時におけるユーザの快適性の低下をより早く回復させている。
【０１０５】
フルパワー運転とは、抑制制御終了空調機の室外機へ供給される電圧及び電流と、抑制制御終了空調機の室外機に含まれる圧縮機の周波数と、抑制制御終了空調機の室内機のファンの風量とをそれぞれ許容できる許容最大値で固定し、且つ、設定温度を冷房時においては所定値（予め管理者等によって定められている任意の値）下げ暖房時においては所定値（予め管理者等によって定められている任意の値）上げる条件（所定の条件に相当）で行われる運転である。なお、事後フォロー制御中は、抑制要求を受け付けないようにする。
【０１０６】
ステップＳ１０７では、フォロー制御部３６ｊは、空調機４０，４０，・・・が設置される、物件Ａ、Ｂの居室内の温度（以下、室内温度という）が設定温度に達したか否かを判定する。すなわち、フォロー制御部３６ｊは、空調機４０，４０，・・・（具体的には、エネルギー抑制制御対象空調機）のエネルギー抑制制御の継続期間の終了時から、室内温度が各空調機４０，４０，・・・（具体的には、抑制制御終了空調機）の設定温度（所定温度に相当）に達するまでの期間、事後フォロー制御を行う。
【０１０７】
ステップＳ１０７で、フォロー制御部３６ｊが達したと判定する場合は、処理を終了し、他方、達していないと判定する場合は、ステップＳ１０７の処理を繰り返す。ここでは、室内温度が設定温度に達した後事後フォロー制御を終了することで、エネルギー抑制制御を実行できない時間を極力短くできる。また、室内温度が設定温度に達するまで事後フォロー制御を行うことで、ユーザが快適性を取り戻すまで事後フォロー制御でフォローし続けることができる。
【０１０８】
（４）特徴
（４−１）
本実施形態では、まず、下位コントローラ３０、３０（エネルギー制御装置に相当）において（物件Ａ、Ｂにおいて）、定期抑制可能量決定部３６ｅが、空調機４０，４０，・・・（設備機器に相当）のトータルの抑制可能なエネルギー量である定期全エネルギー抑制可能量（エネルギー抑制可能量に相当）を決定し、当該定期全エネルギー抑制可能量を含む定期エネルギー抑制可能量を上位コントローラ１０（エネルギー管理装置に相当）に提示している。
【０１０９】
そして、当該提示した定期エネルギー抑制可能量に基づいて、上位コントローラ１０（電力会社１）は、エネルギー量の抑制に関する抑制要求を、下位コントローラ３０、３０に対して行っている。
【０１１０】
ここで、抑制要求には、物件Ａ、Ｂにおける空調機４０，４０，・・・全体の抑制すべきエネルギー量である要求抑制エネルギー量が含まれている。要求抑制エネルギー量とは、上述したように、下位コントローラ３０、３０が提示した複数の定期全エネルギー抑制可能量のうち上位コントローラ１０が選択した１の定期全エネルギー抑制可能量である。
【０１１１】
当該抑制要求を上位コントローラ１０から受けた下位コントローラ３０、３０（具体的には、抑制制御部３６ｉ）は、空調機４０，４０，・・・全体のうち、エネルギー抑制制御の対象とするエネルギー抑制制御対象空調機のエネルギー抑制制御を開始する。なお、上述したように、抑制制御部３６ｉは、抑制要求の受付時から第１時間以内に、複数の空調機４０，４０，・・・の全抑制エネルギー量（具体的には、複数のエネルギー抑制制御対象空調機のトータルの制御対象空調機抑制エネルギー量）を要求抑制エネルギー量に到達させている。
【０１１２】
そして、本実施形態では、定期エネルギー抑制可能量の決定時及び提示時と、抑制要求の受付時との間でユーザの利用状況の変化（居室内の人数の増加等）や、外部環境の変化（外気温度の上昇等）等の種々の変化があった場合を考慮して、フォロー制御部３６ｊが、事後フォロー制御を行っている。具体的には、エネルギー抑制制御対象空調機のエネルギー抑制制御が終了した後、フォロー制御部３６ｊが事後フォロー制御を開始する。すなわち、上述のような変化があった場合のエネルギー抑制制御の実行時におけるユーザの快適性の低下をより早く回復させる事後フォロー制御を開始している。
【０１１３】
ここで、事後フォロー制御とは、上述したように、エネルギー抑制制御が終了した抑制制御終了空調機（第１の設備機器に相当）を、所定期間、フルパワー運転させる制御である。フルパワー運転とは、上述したように、所定の条件で運転することである。
【０１１４】
以上のように、本実施形態では、エネルギー抑制制御の終了後、事後フォロー制御を行うことにより、ユーザの快適性の低下をより早く回復させることができる。すなわち、ユーザの快適性をいち早く取り戻すことができる。
【０１１５】
（４−２）
本実施形態では、定期抑制可能量提示部３６ｆが予め上位コントローラ１０に対して定期エネルギー抑制可能量を提示している。これにより、上位コントローラ１０は、各物件Ａ，Ｂにおいて抑制できるエネルギー量を把握できる。
【０１１６】
（５）変形例
以上、本発明の実施形態について図面に基づいて説明したが、具体的な構成は、上記の実施形態に限られるものではなく、発明の要旨を逸脱しない範囲で変更可能である。
【０１１７】
（５−１）変形例１Ａ
図６は、本変形例１Ａに係る下位コントローラ３０での処理の流れを示すフローチャートである。なお、ステップＳ１１１,ステップＳ１１２,ステップＳ１１４〜ステップＳ１１８は、図５に示すステップＳ１０１,ステップＳ１０２,ステップＳ１０３〜ステップＳ１０７と同様の処理を行う。
【０１１８】
上記実施形態では、エネルギー抑制制御を終了した後にフォロー制御部３６ｊが事後フォロー制御を実行しているが、これに限られるものではない。
【０１１９】
具体的には、図６に示すように、ステップＳ１１２で定期抑制可能量提示部３６ｆが定期エネルギー抑制可能量を上位コントローラ１０に提示した後、フォロー制御部３６ｊが、エネルギー抑制制御を開始する前（すなわち、エネルギー抑制制御の継続期間の突入前）にさらにステップＳ１１３の事前フォロー制御を開始してもよい。なお、ここでは、ステップＳ１１２の後、事前フォロー制御を行うが、事前フォロー制御は、エネルギー抑制制御を開始する前であって、事前フォロー制御の効果がエネルギー抑制制御の実行時に発揮されるのであれば、いつでもよい。なお、事前フォロー制御を行うタイミングは、例えば、前日に、翌日の空調機４０，４０，・・・の運転状態や抑制要求を受け付けるタイミング等を予測することによって、決定してもよい。
【０１２０】
ここで、事前フォロー制御には、蓄熱／蓄電、予冷／予熱、除湿／加湿等を行う制御が含まれる。
【０１２１】
フォロー制御部３６ｊが蓄熱制御を行う場合の例としては、熱エネルギーを蓄える蓄熱槽（図示せず）を用いたものがある。このとき、蓄熱槽は、空調機４０，４０，・・・に接続される。この場合、蓄熱槽に蓄えられる冷熱エネルギーは、冷房時において、凝縮器として機能する室外熱交換器を流れる冷媒を冷やす役割を有する。また、蓄熱槽に蓄えられる温熱エネルギーは、暖房時において、蒸発器として機能する室内熱交換器を流れる冷媒を温める役割を有する。
【０１２２】
また、上記の例以外にも、特開２００４−３７５０号公報に開示のように、蓄熱槽に蓄えた水等の蓄熱媒体を冷却して凍らせ、蓄熱媒体の潜熱として冷熱を蓄える氷蓄熱装置を用いて、当該蓄えられた冷熱を冷房運転に利用する蓄熱制御がある。
【０１２３】
また、フォロー制御部３６ｊが蓄電制御を行う場合、エネルギー管理システム１００では、さらに蓄電装置（図示せず）が必要になる。この場合、空調機４０，４０，・・・は、蓄電装置に蓄えられたエネルギーを補助的に用いて運転できる。
【０１２４】
これにより、エネルギー抑制制御の実行時において、予め蓄えられた冷熱／温熱を利用することができるので、エネルギーの消費量を維持しながら、すなわち、全抑制エネルギー量を要求抑制エネルギー量に到達させながら、ユーザの快適性の低下を予め予防（緩和や抑制）できる。
【０１２５】
また、フォロー制御部３６ｊが、予冷／予熱制御を行う場合、フォロー制御部３６ｊは、例えば、定期抑制可能量提示部３６ｆが上位コントローラ１０に定期エネルギー抑制可能量を提示した後、空調機４０，４０，・・・（具体的には、エネルギー抑制制御対象空調機）が設置される室内の温度を冷やす／暖めるために、当該空調機４０，４０，・・・（具体的には、エネルギー抑制制御対象空調機）に冷房／暖房を行う旨の制御指令を送信する。
【０１２６】
また、フォロー制御部３６ｊが、除湿／加湿制御を行う場合、フォロー制御部３６ｊは、例えば、定期抑制可能量提示部３６ｆが上位コントローラ１０に定期エネルギー抑制可能量を提示した後、空調機４０，４０，・・・（具体的には、エネルギー抑制制御対象空調機）が設置される室内の温度を冷やす／暖めるために、当該空調機４０，４０，・・・（具体的には、エネルギー抑制制御対象空調機）に除湿／加湿を行う旨の制御指令を送信する。
【０１２７】
以上の予冷／予熱制御や、除湿／加湿制御により、予め室内は、冷やされる／暖められるため、エネルギー抑制制御が開始されたとしても、エネルギーの消費量を維持しながら、すなわち、全抑制エネルギー量を要求抑制エネルギー量に到達させながら、ユーザの快適性の低下を緩和したり抑制したりできる。
【０１２８】
また、上記実施形態では、エネルギー抑制制御の終了後、フォロー制御部３６ｊは事後フォロー制御を開始しているが、当該事後フォロー制御に代えて上述の事前フォロー制御のみを実行してもよい。この場合であっても、エネルギー抑制制御の実行時におけるユーザの快適性の低下を予め緩和したり抑制したりできる。
【０１２９】
なお、このような事前フォロー制御は、定期的に上位コントローラ１０から下位コントローラ３０に対して抑制要求が送られる場合に、より有効なものとなる。例えば、抑制要求が所定時間毎に送られる場合は、抑制要求が送られる所定時間前から予冷／予熱制御や除湿／加湿制御を開始すれば、省エネ／省コストに貢献しながら、上述のような効果を奏する。また、例えば、上位コントローラ１０の抑制要求送信部１５ｂが、抑制要求を送信してから所定時間後にエネルギー抑制制御を開始する旨の抑制要求を送信するような場合、エネルギー抑制制御の開始時間の所定時間前から予冷／予熱制御や除湿／加湿制御を開始すれば、省エネ／省コストに貢献しながら、上述のような効果を奏する。
【０１３０】
なお、事前フォロー制御として上述した３つの制御は、適宜組み合わせて実行されてもよい。
【０１３１】
また、フォロー制御部３６ｊは、エネルギー抑制制御の前後でフォロー制御（事後フォロー制御及び事前フォロー制御を総称してこう呼ぶ）を行う制御以外にも、エネルギー抑制制御の実行時において、抑制時フォロー制御を行ってもよい。
【０１３２】
具体的な例を以下に説明する。
【０１３３】
図７は、本変形例１Ａに係る下位コントローラ３０の概略構成図である。
【０１３４】
抑制時フォロー制御としては、例えば、空調機４０，４０，以外の他設備を制御することによって、ユーザの快適性の低下を抑制する制御がある。
【０１３５】
この場合、制御部３６は、空調機４０，４０，・・・以外の他設備を制御する他設備制御部３６ｋとしてさらに機能する。そして、抑制制御部３６ｉによるエネルギー抑制制御の継続期間中、他設備制御部３６ｋが他設備に含まれる外調機（例えば、換気設備）の制御を行う（具体的には、運転を停止する）ことによって、外部からの冷気／暖気の量を抑制する。これにより、居室内の空調負荷の低減が可能になる。よって、エネルギー抑制制御の実行時におけるユーザの快適性の低下を緩和したり抑制したりできる。
【０１３６】
また、他設備制御部３６ｋは、ユーザの快／不快を把握することによって、上述のような外調機の制御を行ってもよい。すなわち、ユーザが不快を覚えた際に、入力部３３を介して自身の不快を入力することによって、他設備制御部３６ｋが、外調機の運転を停止する。この場合、記憶部３５は、ユーザの快／不快を記憶する快／不快情報記憶領域３５ｅをさらに保持する。よって、ユーザによって入力された情報は、当該快／不快情報記憶領域３５ｅに記憶される。
【０１３７】
また、上述のような場合、制御部３６は、ユーザの快／不快を決定する快／不快決定部３６ｌとしてさらに機能してもよい。この場合、他設備制御部３６ｋは、エネルギー抑制制御の実行時において快／不快決定部３６ｌがユーザの不快を決定したときに、外調機の運転を停止する。
【０１３８】
なお、例えば、快／不快決定部３６ｌによるユーザの快／不快は、設定温度の上限値（冷房時）／下限値（暖房時）からの乖離度や、設定温度と室内温度との乖離度に基づいて決定される。具体的には、快／不快決定部３６ｌは、設定温度の上限値を２℃以上超える／下限値を２℃以上下回る、或いは、設定温度と室内温度との差が２℃を超える場合は、ユーザが不快を感じているとしてユーザの不快を決定する。なお、上述の２℃のような閾値については、予め管理者等が設定した値でもよいし、空調機４０，４０，・・・の運転データに基づいて制御部３６が決定した値であってもよい。そして、快／不快決定部３６ｌは、ユーザの快／不快を決定すると、当該ユーザの快／不快の情報を、記憶部３５が保持する快／不快情報記憶領域３５ｅに記憶する。
【０１３９】
これにより、よりユーザの快適度に基づいた制御が可能になり、上記と同様に、エネルギー抑制制御の実行時におけるユーザの快適性の低下を緩和したり抑制したりできる。
【０１４０】
また、抑制時フォロー制御としては他にも、フォロー制御部３６ｊが、室内機４２，４２，・・・から吹き出される吹出空気の量が上昇するように室内機４２，４２，・・・の室内ファンの風量を制御が挙げられる。この場合、吹出空気の量を上昇させることでユーザの体感温度の維持が可能になる。よって、ユーザの快適性の低下を緩和したり抑制したりできる。
【０１４１】
また、抑制時フォロー制御としては、フォロー制御部３６ｊが、要求抑制エネルギー量に基づいた個別に抑制すべきエネルギー量である目標個別抑制エネルギー量（すなわち、上位コントローラ１０に提示した定期個別エネルギー抑制可能量のうち、上位コントローラ１０が選択した１の定期個別エネルギー抑制可能量）に、エネルギー抑制制御対象空調機の抑制エネルギー量が到達するように、複数の室内機４２，４２，・・・（空調機４０，４０，・・・）を以下のように制御するものが挙げられる。
【０１４２】
当該制御について具体的に説明すると、複数の室内機４２，４２，・・・（空調機４０，４０，・・・）を、１台ずつ順番に設定温度を第１設定温度（冷房時においては、現在の設定温度＞第１設定温度、暖房時においては、現在の設定温度＜第１設定温度）に変更する設定温度変更制御や、複数の室内機４２，４２，・・・（空調機４０，４０，・・・）を、１台ずつ順番に強制的にサーモオフし、複数の室内機４２，４２，・・・（空調機４０，４０，・・・）のうち強制的にサーモオフをした室内機４２，４２，・・・（空調機４０，４０，・・・）以外の室内機４２，４２，・・・（空調機４０，４０，・・・）の運転能力を上昇させる強制サーモオフ制御がある。これにより、室温劣化を緩和できる。よって、ユーザの快適性の低下を緩和したり抑制したりしながら、省エネ及び省コストに貢献する。
【０１４３】
また、このような場合、室内機４２，４２，・・・（空調機４０，４０，・・・）毎に優先度の設定（フラグの設定や、重み付けの設定等）をしておき、優先度に基づいて、上述した設定温度変更制御や強制サーモオフ制御を行ってもよい。
【０１４４】
（５−２）変形例１Ｂ
上記実施形態では、事後フォロー制御を行う所定期間は、空調機４０，４０，・・・（具体的には、エネルギー抑制制御対象空調機）のエネルギー抑制制御の継続期間の終了時から、当該エネルギー抑制制御対象空調機が設置される物件Ａ、Ｂの居室内の温度（以下、室内温度という）が各空調機４０，４０，・・・（具体的には、抑制制御終了空調機）の設定温度（所定温度に相当）に達するまでの期間であると説明したが、これに限られるものではない。
【０１４５】
例えば、予め管理者等が入力部３３を介して設定した固定の期間であってもよい。
【０１４６】
また、上述の固定の期間がいくつか設定されており、管理者等が空調機４０，４０，・・・の運用に合わせて選択した期間であってもよい。また、変形例１Ａに記載したユーザの快／不快の把握／決定に基づいて、フォロー制御部３６ｊが決定した期間であってもよい。この場合であっても、上記実施形態と同様に、エネルギー抑制制御を実行できない時間を極力短くすることができ、ユーザが快適性を取り戻すまで事後フォロー制御でフォローし続けることができる。
【０１４７】
（５−３）変形例１Ｃ
上記実施形態の事後フォロー制御の実行時において、フォロー制御部３６ｊは、抑制制御終了空調機がフルパワー運転を行うことによって消費するエネルギー量を、抑制制御終了空調機以外の空調機や、空調機４０，４０，・・・以外の他の設備の消費エネルギー量を抑制することによって、物件Ａ、Ｂトータルでの消費エネルギー量に極力変動がないようにしてもよい。また、フォロー制御部３６ｊは、変形例１Ａに記載した事前フォロー制御を行う場合、抑制制御終了空調機がフルパワー運転を行うためのエネルギーを、蓄熱／蓄電によって補う制御を行ってもよい。この場合、省エネ及び省コストに貢献する。
【０１４８】
（５−４）変形例１Ｄ
定期抑制可能量提示部３６ｆの定期エネルギー抑制可能量の上位コントローラ１０への提示は、上記実施形態に限られるものではない。
【０１４９】
例えば、定期抑制可能量提示部３６ｆは、抑制制御部３６ｉが空調機４０，４０，・・・に対する制御指令を送信した後の送信後経過時間が所定時間を経過したときに、定期エネルギー抑制可能量を提示してもよい。なお、このとき、送信後経過時間は、タイマー部３４が計測するものとする。
【０１５０】
（５−５）変形例１Ｅ
上記実施形態では、下位コントローラ３０、３０から上位コントローラ１０に送るのは、定期個別エネルギー抑制可能量及び定期全エネルギー抑制可能量であると説明したが、これに限られるものではなく、定期全エネルギー抑制可能量のみであってもよい。
【０１５１】
（５−６）変形例１Ｆ
制御対象は、上記実施形態の機器に限られるものではない。例えば、照明や、給湯器等の他の機器を制御対象としてもよい（この場合、空調機４０，４０，・・・や他の機器が設備機器に相当）。この場合、これらの機器のエネルギーの量を計測するメーター等、エネルギー管理システム１００における制御に必要となる機器等が必要になる。また、この場合、照明の運転状態や運転状況には、ＯＮ／ＯＦＦ、明るさの段階等が含まれ、給湯器の運転状態や運転状況には、ＯＮ／ＯＦＦ、給湯温度、給湯量等が含まれる。なお、各種の運転状況に含まれる各種の温度や圧力等は、各種のセンサ等によって検出される。
【０１５２】
（５−７）変形例１Ｇ
上記実施形態では、各物件Ａ、Ｂの空調機４０，４０，・・・のトータルの全抑制エネルギー量が抑制要求に基づく要求抑制エネルギー量に到達するようにしていると説明したが、これに限られるものではない。
【０１５３】
例えば、変形例１Ｆに記載したように、空調機４０，４０，・・・以外の他の機器を制御対象とする場合は、物件Ａ、Ｂに設置される複数の機器（空調機４０，４０，・・・や、空調機４０，４０，・・・以外の他の機器である給湯器、照明、その他動力を発生させる機器）のトータルの抑制エネルギー量を、上位コントローラ１０からの抑制要求に含まれる、物件Ａ、Ｂ全体で抑制すべきエネルギー量に到達させるようにしてもよい。この場合、空調機４０，４０，・・・以外の他の機器の消費エネルギー量等をメーター値等から把握することが必要である。
【０１５４】
（５−８）変形例１Ｈ
上記実施形態では、定期抑制可能量提示部３６ｆは一方的に上位コントローラ１０に対して定期エネルギー抑制可能量の提示を行っているが、これに限られるものではない。
【０１５５】
例えば、物件Ａ、Ｂで抑制可能なエネルギー量を、上位コントローラ１０が提示させる提示要求を行うことによって、下位コントローラ３０が上位コントローラ１０に対して当該物件Ａ、Ｂで抑制可能なエネルギー量を提示してもよい。
【０１５６】
（５−９）変形例１Ｉ
上記実施形態では、条件記憶領域３５ｂに複数の条件が記憶されていると説明したが、１つの条件が記憶されていてもよい。
【０１５７】
（５−１０）変形例１Ｊ
事後フォロー制御を実施する必要がない場合は、事後フォロー制御を実施しなくてもよい。このような例としては、変形例１Ａに記載の事前フォロー制御によって、エネルギー抑制制御後もユーザの快適性が維持される場合が考えられる。
【０１５８】
（５−１１）変形例１Ｋ
上記実施形態では、電力会社は１つのみを示しているが、複数あってもよい。
【０１５９】
＜第２実施形態＞
続いて、第２実施形態に係るエネルギー管理システム２００について説明する。以下では、２つの電力会社が１ａ、１ｂが存在する場合を例にとって説明する。なお、エネルギー管理システム２００におけるエネルギー管理システム１００と同様の構成については、同じ番号を付し説明を省略する。
【０１６０】
（１）エネルギー管理システム２００の全体構成
図８は、第２実施形態に係るエネルギー管理システム２００の概略構成図である。
【０１６１】
図８に示すように、エネルギー管理システム２００は、主として、電力会社１ａ、１ｂに設置される上位コントローラ２０、２０と、各物件Ａ、Ｂに設置され、主として各物件Ａ、Ｂに設置される空調機４０，４０，・・・のエネルギー量を管理及び制御する下位コントローラ２３０、２３０とを有する。上位コントローラ２０、２０と、下位コントローラ２３０、２３０とは、インターネット８０ａを介して接続されている。また、各物件Ａ、Ｂにおいて、空調機４０，４０，・・・と、下位コントローラ２３０、２３０とは、専用の制御線８０ｂを介して接続されている。
【０１６２】
エネルギー管理システム２００では、上位コントローラ２０、２０は、インターネット８０ａを介して、下位コントローラ２３０、２３０に対して、所定時間の間隔で（本実施形態では、１日間隔で）、エネルギー量の単価（以下、エネルギー単価という）を送信している。具体的には、所定期間（本実施形態では、１日）の時間帯別のエネルギー単価を送信している。本実施形態では、エネルギー単価は、電力会社１ａ、１ｂによって決定されるものであり、時間帯によって変動する。通常、エネルギー単価は、エネルギー量の需要が高い時間帯は高く、エネルギー量の需要が低い時間帯は安い。
【０１６３】
以下、エネルギー管理システム２００を主として構成する各部の構成について適宜図面を参照しながら説明する。
【０１６４】
（２）各部の構成
（２−１）上位コントローラ２０、２０の構成
図９は、第２実施形態に係る上位コントローラ２０、２０の概略構成図である。以下、電力会社１ａに設置される上位コントローラ２０について説明するが、電力会社１ｂに設置される上位コントローラ２０についても基本的には同様の構成を有する。
【０１６５】
上位コントローラ２０は、図９に示すように、主として、通信部２１と、表示部２２と、入力部２３と、記憶部２４と、制御部２５とを有する。なお、通信部２１、表示部２２、及び、入力部２３については、第１実施形態に係る通信部１１、表示部１２、及び、入力部１３と同様であるため説明を省略する。
【０１６６】
（２−１−１）記憶部２４
記憶部２４は、ハードディスク等から構成され、エネルギー単価記憶領域２４ａを有する。エネルギー単価記憶領域２４ａには、各物件Ａ、Ｂに送信される、エネルギー単価が記憶されている。エネルギー単価は、契約内容に応じて各物件Ａ、Ｂ間で相違するものであってもよい。なお、記憶部２４は、第１実施形態と同様に、管理物件記憶領域１４ａ及び物件情報記憶領域１４ｂを有していてもよい。
【０１６７】
（２−１−２）制御部２５
制御部２５は、ＣＰＵ、ＲＯＭ、ＲＡＭ等から構成される。制御部２５は、記憶部２４に記憶されているプログラムを読み出して実行することにより、所定時間の間隔で（本実施形態では、１日間隔で）、各物件Ａ、Ｂに対し、エネルギー単価を送信する。
【０１６８】
（２−２）下位コントローラ２３０、２３０の構成
図１０は、下位コントローラ２３０、２３０の概略構成図である。以下、物件Ａに設置される下位コントローラ２３０について説明するが、物件Ｂに設置される下位コントローラ２３０についても同様の構成である。
【０１６９】
下位コントローラ２３０は、図１０に示すように、主として、通信部２３１と、表示部２３２と、入力部２３３と、タイマー部２３４と、記憶部２３５と、制御部２３６とを有する。通信部２３１、表示部２３２、入力部２３３、及び、タイマー部２３４は、第１実施形態の通信部３１、表示部３２、入力部３３、及び、タイマー部３４と同様の機能を有するため説明を省略する。
【０１７０】
（２−２−１）記憶部２３５
記憶部２３５は、ハードディスク等から構成される。記憶部２３５は、主として、運転状況記憶領域２３５ａと、メーター値記憶領域２３５ｂと、条件記憶領域２３５ｃと、単価情報記憶領域２３５ｄと、最安単価記憶領域２３５ｅと、制御情報記憶領域２３５ｆとを有する。なお、運転状況記憶領域２３５ａ及びメーター値記憶領域２３５ｂは、運転状況記憶領域３５ａ及びメーター値記憶領域３５ｄと同様の構成を採るので、説明を省略する。
【０１７１】
（２−２−１−１）条件記憶領域２３５ｃ
条件記憶領域２３５ｃには、複数の条件が記憶されている。ここでの条件とは、消費エネルギー量を抑制するエネルギー抑制制御の実行時に用いられる条件である。具体的には、条件は、エネルギー抑制制御の実行時に許容できる空調機４０，４０，・・・の運転能力（以下、許容運転能力という）である。条件記憶領域２３５ｃに記憶される複数の条件の一例としては、図１１に示す条件Ａ〜Ｃが挙げられる。
【０１７２】
（２−２−１−２）単価情報記憶領域２３５ｄ
単価情報記憶領域２３５ｄには、上位コントローラ２０、２０から送信されたエネルギー単価や、単価情報作成部２３６ｄによって作成された単価情報が記憶されている。単価情報とは、複数の電力会社１ａ、１ｂから送信される、複数の時間帯別のエネルギー単価を、１つのテーブルにまとめたものであり、一例としては図１２に示すものが挙げられる。
【０１７３】
なお、上位コントローラ２０、２０からは、エネルギー単価と併せて、エネルギー単価を送信した電力会社名も送信される。よって、単価情報記憶領域２３５ｄには、図１２に示すように、エネルギー単価と、当該エネルギー単価を送信した電力会社名とが、関連付けられて記憶される。これにより、本実施形態のように、複数の電力会社からエネルギー単価を受け付けた場合にも、どの電力会社から受けたエネルギー単価であるかを判別できる。
【０１７４】
（２−２−１−３）最安単価記憶領域２３５ｅ
最安単価記憶領域２３５ｅには、最安単価情報作成部２３６ｅによって作成された最安単価情報が記憶される。最安単価情報とは、複数の電力会社から送信されるエネルギー単価のうち最安のエネルギー単価（最安単価）と、最安単価を提示している電力会社名とを、時間帯別にまとめた情報であり、その一例としては図１３に示すものが挙げられる。
【０１７５】
（２−２−１−４）制御情報記憶領域２３５ｆ
制御情報記憶領域２３５ｆには、抑制制御部２３６ｋによって実行されるエネルギー抑制制御の内容やフォロー制御部２３６ｌによって実行されるフォロー制御の内容が記憶されている。
【０１７６】
エネルギー抑制制御の内容には、後述する候補時間帯決定部２３６ｆによって決定された候補時間帯（具体的には、候補時間帯の数や、候補時間帯の開始時刻及び終了時刻）や、条件記憶領域２３５ｃに記憶された条件の中から後述する選択部２３６ｇによって選択された１の条件が記憶される。なお、候補時間帯とは、空調機４０，４０，・・・のエネルギー抑制制御を実行すべき時間帯である。
【０１７７】
（２−２−２）制御部２３６
制御部２３６は、ＣＰＵ、ＲＯＭ、ＲＡＭ等から構成されている。制御部２３６は、記憶部２３５に記憶されているプログラムを読み出して実行することより、主として、運転状況把握部２３６ａと、メーター値取得部２３６ｂと、受付部２３６ｃと、単価情報作成部２３６ｄと、最安単価情報作成部２３６ｅと、候補時間帯決定部２３６ｆと、選択部２３６ｇと、算出部２３６ｈｉと、抑制可能量決定部２３６ｊと、抑制制御部２３６ｋと、フォロー制御部２３６ｌとして機能する。なお、運転状況把握部２３６ａ及びメーター値取得部２３６ｂは、それぞれ、主に運転状況把握部３６ａ及びメーター値取得部３６ｂと同様に機能するため、説明を省略する。
【０１７８】
（２−２−２−１）受付部２３６ｃ
受付部２３６ｃは、管理者等による入力部２３３を介した入力情報を受け付けたり、上位コントローラ２０、２０から所定の時間間隔で（本実施形態では、１日間隔で）、エネルギー単価を受け付けたりする。受付部２３６ｃは、上位コントローラ２０、２０から送信されたエネルギー単価を、単価情報記憶領域２３５ｄに格納する。
【０１７９】
（２−２−２−２）単価情報作成部２３６ｄ
単価情報作成部２３６ｄは、複数の電力会社１ａ、１ｂから送信されるエネルギー単価に基づいて、単価情報を作成する。そして、作成した単価情報を、単価情報記憶領域２３５ｄに格納する。
【０１８０】
（２−２−２−３）最安単価情報作成部２３６ｅ
最安単価情報作成部２３６ｅは、単価情報記憶領域２３５ｄに記憶されるエネルギー単価や単価情報に基づいて、最安単価情報を作成する。具体的には、最安単価情報作成部２３６ｅは、複数の電力会社１ａ、１ｂのエネルギー単価を時間帯別に比較して、時間帯別に最安単価を決定する。そして、最安単価と、最安単価を提示している電力会社とを関連付けて最安単価情報を作成している。
【０１８１】
なお、ある時間帯において、複数の電力会社が同一のエネルギー単価を提示するような場合は、例えば、どの電力会社のエネルギー単価を最安単価とするか決めておく、若しくは、その前の時間帯に最安単価を提示していた電力会社のエネルギー単価を最安単価とする、等予め決めておくことが好ましい。
【０１８２】
また、電力会社が１つの場合は、送信された時間帯別のエネルギー単価がそのまま時間帯別の最安単価として使用される。
【０１８３】
（２−２−２−４）候補時間帯決定部２３６ｆ
候補時間帯決定部２３６ｆは、所定の時間間隔で（本実施形態では、１日間隔で）、最安単価記憶領域２３５ｅに記憶される最安単価情報に基づいて、所定期間（本実施形態では、１日）における候補時間帯を決定する。具体的には、候補時間帯決定部２３６ｆは、所定期間において最もエネルギー単価が高い時間帯を、候補時間帯として決定する。図１３の例では、所定期間（当日午前９時から翌日午前９時までの期間）において、当日の１３：００〜１６：００がエネルギー単価が最大となる時間帯なので、当日の１３：００〜１６：００までが候補時間帯となる（図１４も参照）。
【０１８４】
そして、候補時間帯決定部２３６ｆは、当該候補時間帯を、制御情報記憶領域２３５ｆに格納する。
【０１８５】
（２−２−２−５）選択部２３６ｇ
選択部２３６ｇは、条件記憶領域２３５ｃに記憶された複数の条件の中から、ユーザの制御傾向に合った１の条件を選択する。具体的には、例えば、ユーザが予め「省エネ優先」、「快適性重視」、「バランス重視」といったユーザが重視する制御傾向を、入力部２３３を介して選択しておいたとする。このとき、選択部２３６ｇは、条件記憶領域２３５ｃに記憶された複数の条件の中から、入力されたユーザの制御傾向に合致する条件を選択する。より具体的には、複数の条件が条件Ａ〜Ｃのような３種類の条件である場合を例にとって説明すると、省エネ優先であれば、最も消費エネルギー量の少ない条件Ｃ（許容運転能力４０％）を選択し、快適性重視であれば最も消費エネルギー量に制限の少ない条件Ａ（許容運転能力８０％）を選択し、バランス重視であれば中間の条件Ｂ（許容運転能力６０％）を選択する。なお、制御傾向は、３種類である必要はない。また、ユーザは上記のような概念的な選択肢から制御傾向を選択するのではなく、例えば、省エネモード１、省エネモード２、・・・等の記号から制御傾向を選択してもよい。また、ユーザは、許容運転能力の値そのものを選択してもよい。そして、選択部２３６ｇは、選択した１の条件を制御情報記憶領域２３５ｆに格納する。
【０１８６】
（２−２−２−６）算出部２３６ｈｉ
算出部２３６ｈｉは、エネルギー消費量と、推定消費量とを算出する。
【０１８７】
エネルギー消費量とは、候補時間帯に入る直前（具体的には、本実施形態では、候補時間帯に入る５分前）の運転を候補時間帯に継続した場合に消費される空調機４０，４０，・・・のエネルギー量である。
【０１８８】
推定消費量とは、制御情報記憶領域２３５ｆに記憶された１の条件に基づいて、候補時間帯に、エネルギー抑制制御を実行した場合に消費される空調機４０，４０，・・・のエネルギー量である。
【０１８９】
算出部２３６ｈｉは、エネルギー消費量算出部２３６ｈと、推定消費量を算出する推定消費量算出部２３６ｉとして機能する。以下、これらの動作について説明する。
【０１９０】
（２−２−２−６−１）エネルギー消費量算出部２３６ｈ
エネルギー消費量算出部２３６ｈは、運転状況把握部２３６ａによって把握された空調機４０，４０，・・・の運転状況と、メーター値記憶領域２３５ｂに記憶されている空調機４０，４０，・・・のメーター値とを用いて、候補時間帯に入る直前の運転を候補時間帯に継続した場合の空調機４０，４０，・・・のエネルギー消費量を算出している。
【０１９１】
具体的には、エネルギー消費量算出部２３６ｈは、エネルギー消費量を、候補時間帯に入る直前に運転状況記憶領域２３５ａに記憶されている最新の単位時間当たりの消費エネルギー量（ｋＷ）と、候補時間帯の時間長さ（ｈ）との積によって算出する。なお、候補時間帯が１３：００〜１６：００の場合、候補時間帯の時間長さは、３時間となる。
【０１９２】
（２−２−２−６−２）推定消費量算出部２３６ｉ
推定消費量算出部２３６ｉは、運転状況把握部２３６ａによって把握された空調機４０，４０，・・・の運転状況と、メーター値記憶領域２３５ｂに記憶されている空調機４０，４０，・・・のメーター値とを用いて、制御情報記憶領域２３５ｆに記憶された１の条件に基づいて、候補時間帯にエネルギー抑制制御を実行した場合の、推定消費量を算出する。例えば、制御情報記憶領域２３５ｆに記憶されている１の条件が、図１１に示す条件Ａであったとすると、推定消費量算出部２３６ｉは、候補時間帯に、条件Ａ（許容運転能力を８０％）で運転させる場合の推定消費量を算出する。なお、推定消費量は、以下の（式１）を用いて算出する。
【０１９３】
（式１）推定消費量（ｋWｈ）＝（エネルギー消費量を算出した時の運転能力（％）×制御情報記憶領域２３５ｆに記憶される許容運転能力（％））×エネルギー消費量を算出した時の単位時間当たりの消費エネルギー量（ｋＷ）×候補時間帯の時間長さ（ｈ）
【０１９４】
（２−２−２−７）抑制可能量決定部２３６ｊ
抑制可能量決定部２３６ｊは、候補時間帯においてエネルギー抑制制御を実行した場合の空調機４０，４０，・・・の抑制可能なエネルギー量（エネルギー抑制可能量という）を決定する。具体的には、抑制可能量決定部２３６ｊは、エネルギー消費量と推定消費量との差を算出する。よって、エネルギー抑制可能量は、以下の（式２）で示すことができる。
【０１９５】
（式２）エネルギー抑制可能量（ｋＷｈ）＝（エネルギー消費量を算出した時の運転能力（％）―制御情報記憶領域２３５ｆに記憶される許容運転能力（％））×候補時間帯に入る直前に運転状況記憶領域２３５ａに記憶されている最新の単位時間当たりの消費エネルギー量（ｋＷ）×候補時間帯の時間長さ（ｈ）
【０１９６】
例えば、現在、１００％の運転能力で空調機４０，４０，・・・が稼動しており、１時間当たり１００ｋWのエネルギー量が使用されていたとする。そして、制御情報記憶領域２３５ｆに記憶された１の条件が条件Ａであり、エネルギー抑制制御の候補時間帯が１時間の場合、エネルギー抑制可能量は２０ｋＷｈと決定される。
【０１９７】
（２−２−２−８）抑制制御部２３６ｋ
抑制制御部２３６ｋは、制御情報記憶領域２３５ｆに記憶される情報を読み出して、候補時間帯に、制御情報記憶領域２３５ｆに記憶された１の条件に基づいて、エネルギー抑制制御を実行する。すなわち、抑制制御部２３６ｋは、抑制可能量決定部２３６ｊによって決定されたエネルギー抑制可能量を抑制するように、エネルギー抑制制御を行う。
【０１９８】
具体的には、例えば、制御情報記憶領域２３５ｆに記憶される１の条件が、条件Ａであり、候補時間帯が１３：００〜１６：００の場合は、１３：００〜１６：００に運転能力８０％で空調機４０，４０，・・・の運転を行うエネルギー抑制制御が実行される。
【０１９９】
（２−２−２−９）フォロー制御部２３６ｌ
フォロー制御部２３６ｌは、第１実施携帯のフォロー制御部３６ｊと同様の機能を有する。具体的には、エネルギー抑制制御の終了後（すなわち、候補時間帯の終了後）に、事後フォロー制御を実行する。
【０２００】
（３）第２実施形態に係る下位コントローラ２３０の処理
図１５及び図１６は、第２実施形態に係る下位コントローラ２３０の処理の流れを示すフローチャートである。
【０２０１】
ステップＳ２０１では、受付部２３６ｃが、複数の電力会社１ａ、１ｂに配置される上位コントローラ２０、２０から、午前７時に、当日午前９時から翌日午前９時の時間帯別のエネルギー単価を受け付ける。
【０２０２】
ステップＳ２０２では、単価情報作成部２３６ｄが、上位コントローラ２０、２０から送信される時間帯別のエネルギー単価に基づいて、単価情報を作成する。そして、単価情報を単価情報記憶領域２３５ｄに格納する。
【０２０３】
ステップＳ２０３では、最安単価情報作成部２３６ｅが、午前９時よりも所定時間前（本実施形態では、１０分前）に、単価情報記憶領域２３５ｄに記憶される時間帯別のエネルギー単価や単価情報を読み出す。そして、読み出した時間帯別のエネルギー単価や単価情報に基づいて、最安単価情報を作成する。そして、最安単価情報作成部２３６ｅは、最安単価情報を、最安単価記憶領域２３５ｅに格納する。
【０２０４】
ステップＳ２０４では、候補時間帯決定部２３６ｆが、所定期間である当日午前９時から翌日午前９時の間で、エネルギー単価が最大である時間帯を候補時間帯として決定する。
【０２０５】
ステップＳ２０５では、選択部２３６ｇが、条件記憶領域２３５ｃに記憶された複数の条件から、ユーザの制御傾向に合致した１の条件を選択する。そして、選択した１の条件を制御情報記憶領域２３５ｆに格納する。
【０２０６】
ステップＳ２０６では、算出部２３６ｈｉが、現在時刻が、候補時間帯の開始時刻の所定時間前（例えば、５分前）であるか否かを判定する。所定時間前であると判定する場合は、ステップＳ２０７へ移行し、他方、所定時間前でないと判定する場合は、所定時間前になるまで待機する。
【０２０７】
ステップＳ２０７では、エネルギー消費量算出部２３６ｈが、エネルギー消費量を算出する。
【０２０８】
ステップＳ２０８では、推定消費量算出部２３６ｉが、推定消費量を算出する。
【０２０９】
ステップＳ２０９では、抑制可能量決定部２３６ｊが、エネルギー抑制可能量を決定する。
【０２１０】
ステップＳ２１０では、抑制制御部２３６ｋが、現在時刻が、候補時間帯の開始時刻になったか否かを判定する。なったと判定する場合は、図１６に示すステップＳ２１１へ移行し、他方、なっていないと判定する場合は、候補時間帯になるまで待機する。
【０２１１】
ステップＳ２１１では、抑制制御部２３６ｋが、候補時間帯に、制御情報記憶領域２３５ｆに記憶された１の条件に基づいて、エネルギー抑制制御を実行する。
【０２１２】
ステップＳ２１２では、フォロー制御部２３６ｌが、現在時刻が候補時間帯の終了時刻になったか否かを判定する。なったと判定する場合は、ステップＳ２１３へ移行し、他方、なっていないと判定する場合は、エネルギー抑制制御を継続して実行する。
【０２１３】
ステップＳ２１３では、フォロー制御部２３６ｌが、事後フォロー制御を実行する。
【０２１４】
ステップＳ２１４では、フォロー制御部２３６ｌが、室内温度が設定温度に達したか否かを判定する。達したと判定する場合は、事後フォロー制御を終了し、他方、達していないと判定する場合は、室内温度が設定温度に達するまで事後フォロー制御を継続する。
【０２１５】
（４）特徴
第１実施形態に係るエネルギー管理システム１００では、各物件Ａ、Ｂ（下位コントローラ３０、３０）は、電力会社１（上位コントローラ１０）に対してエネルギー抑制可能量を複数算出して提示している。そして、電力会社１は、物件Ａ、Ｂから提示された複数のエネルギー抑制可能量に基づいて、物件Ａ、Ｂに対して抑制要求を行い、この抑制要求に基づいて、物件Ａ、Ｂは、エネルギー抑制制御を行っている。すなわち、第１実施形態に係るエネルギー管理システム１００では、上位コントローラ１０と下位コントローラ３０，３０とが双方向にやり取りを行うことによって、エネルギー抑制制御が行われている。
【０２１６】
一方、第２実施形態に係るエネルギー管理システム２００では、各物件Ａ、Ｂに存在する下位コントローラ２３０、２３０は、電力会社１ａ、１ｂに存在する上位コントローラ２０、２０に対してエネルギー抑制可能量の提示は行わない。また、第２実施形態に係るエネルギー管理システム２００では、下位コントローラ２３０、２３０は、上位コントローラ２０、２０からの抑制要求をトリガーとせずにエネルギー抑制制御を行っている。
【０２１７】
具体的には、エネルギー管理システム２００では、上位コントローラ２０、２０から、下位コントローラ２３０、２３０に対して、インターネット８０ａを介して、所定時間の間隔で、エネルギー単価を送信している。そして、下位コントローラ２３０、２３０は、上位コントローラ２０、２０から一方的に送信されたエネルギー単価に基づいて、自身でエネルギー抑制制御を行う時間帯（候補時間帯）を決定している。
【０２１８】
ここでは、上位コントローラ２０、２０から一方的に情報が送信される場合であっても、下位コントローラ２３０側でエネルギー抑制制御を実行できる。また、第２実施形態でも同様に、エネルギー抑制制御の後に事後フォロー制御を行うので、ユーザの快適性の低下を抑制できる。
【０２１９】
また、第２実施形態では、最もエネルギー単価が高い時間帯を、候補時間帯として決定している。これにより、ピーク需要時に消費エネルギー量を抑制したいという電力会社１ａ、１ｂの意向に応じた制御が容易になるとともに、物件側にとっても省コスト及び省エネルギーを達成できるので有用である。
【０２２０】
また、第２実施形態では、ユーザが予め自身の制御傾向を入力部２３３を介して入力し、選択部２３６ｇが当該制御傾向を基に、複数の条件から１の条件を選択している。そして、選択部２３６ｇが選択した１の条件を基に、推定消費量算出部２３６ｉが、推定消費量を算出している。すなわち、抑制可能量決定部２３６ｊは、ユーザの制御傾向に基づいてエネルギー抑制可能量を決定していることになる。
【０２２１】
これにより、ユーザの意向がエネルギー抑制制御に反映されやすくなる。
【０２２２】
（５−１）変形例２Ａ
図１７は、本変形例２Ａに係る下位コントローラ２３０、２３０の概略構成図である。図１８は、所定時間毎の予測消費エネルギー量を示すテーブルである。図１９は、所定時間毎の予測エネルギー価格を示すテーブルである。
【０２２３】
上記実施形態では、候補時間帯決定部２３６ｆは、最安単価情報に基づいて、候補時間帯を決定すると説明したが、これに限られるものではない。
【０２２４】
以下、具体例について説明する。
【０２２５】
例えば、制御部２３６が、図１７に示すように、消費エネルギー量予測部２３６ｍと、予測エネルギー価格算出部２３６ｎとしてさらに機能し、記憶部２３５が、予測消費エネルギー量記憶領域２３５ｇと予測エネルギー価格記憶領域２３５ｈとを有するとする。
【０２２６】
そして、消費エネルギー量予測部２３６ｍは、所定期間（本実施形態では、１日）における所定時間（ここでは、１時間）毎の消費エネルギー量を予測する。予測の方法としては、運転状況記憶領域２３５ａに蓄積された所定期間前（例えば、１日前）の時間帯別の消費エネルギー量をそのまま利用してもよいし、過去１週間の所定時間毎の消費エネルギー量の平均値を利用してもよいし、当日の気象データから算出してもよい。消費エネルギー量予測部２３６ｍによって予測された予測消費エネルギー量は、予測消費エネルギー量記憶領域２３５ｇに格納される。
【０２２７】
予測エネルギー価格算出部２３６ｎは、最安単価記憶領域２３５ｅに記憶される最安単価情報と、予測消費エネルギー量記憶領域２３５ｇに記憶される予測消費エネルギー量の情報とを読み出し、所定時間毎の積を算出することによって、予測エネルギー価格を算出する。より具体的には、図１２の最安単価情報が最安単価記憶領域２３５ｅに記憶されており、図１８の予測消費エネルギー量が予測消費エネルギー量記憶領域２３５ｇに記憶されている場合、図１９に示すような、所定時間毎の予測エネルギー価格が算出される。当該予測エネルギー価格の情報は、予測エネルギー価格記憶領域２３５ｈに格納される。
【０２２８】
上記のような場合において、候補時間帯決定部２３６ｆは、予測エネルギー価格に基づいて、候補時間帯を決定してもよい。具体的には、予測エネルギー価格が最大となる時間帯を候補時間帯として決定する。図１９の例では、１３：００〜１６：００が候補時間帯となる。なお、候補時間帯決定部２３６ｆは、予測エネルギー価格に代わりに予測消費エネルギー量に基づいて、候補時間帯を決定してもよい。
【０２２９】
（５−２）変形例２Ｂ
図２０は、本変形例２Ｂに係る、エネルギー単価と時刻との関係を示すグラフである。
【０２３０】
上記実施形態では、候補時間帯決定部２３６ｆは、最もエネルギー単価が高い時間帯を、候補時間帯として決定すると説明したが、これに限られるものではない。
【０２３１】
例えば、図２０に示すように、第１値を上回る時間帯を候補時間帯として決定してもよい。この場合、第１値は、予め、管理者等によって定められる固定値であってもよいし、毎日送信されるエネルギー単価によって変動するものであってもよいし、学習によって修正されていく値であってもよい。この場合であっても、上記と同様の効果を奏する。
【０２３２】
（５−３）変形例２Ｃ
第２実施形態では、エネルギー抑制制御を行うための前提として、候補時間帯及び条件を決定するだけでなく、第１実施形態と同様に、エネルギー抑制制御対象空調機を決定してもよい。
【０２３３】
（５−４）変形例２D
上記実施形態では、予め選択部２３６ｇが複数の条件から１の条件を選択し、選択された１の条件に基づいて、推定消費量算出部２３６ｉが推定消費量を算出しているがこれに限られるものではない。
【０２３４】
例えば、推定消費量算出部２３６ｉは、条件記憶領域２３５ｃに記憶される複数の条件に基づいて、推定消費量を算出してもよい。このとき、エネルギー消費量算出部２３６ｈも複数のエネルギー消費量を算出し、抑制可能量決定部２３６ｊは、複数のエネルギー抑制可能量を決定する。
【０２３５】
そして、この場合において、複数のエネルギー抑制可能量を表示部２３２に表示させれば、ユーザが、複数のエネルギー抑制可能量から１のエネルギー抑制可能量を選択できるようになる。
【０２３６】
（５−５）変形例２Ｅ
エネルギー抑制制御部２３６ｋは、ユーザの快適性が確保できないと判断する場合は、エネルギー抑制制御を実行しなくてもよい。すなわち、上記実施形態では、エネルギー単価の送信が、物件Ａ、Ｂがエネルギー抑制制御を行うトリガーとなっているが、エネルギー単価の送信は、各物件Ａ、Ｂに対してエネルギー抑制制御を強制するものではない。
【産業上の利用可能性】
【０２３７】
本発明は、消費エネルギー量の抑制を行う種々のエネルギー制御装置に適用可能である。
【符号の説明】
【０２３８】
１０      上位コントローラ（エネルギー管理装置）
３０      下位コントローラ（エネルギー制御装置）
３３      入力部
３５      記憶部
３６ｅ    定期抑制可能量決定部（エネルギー抑制可能量決定部）
３６ｆ    定期抑制可能量提示部（エネルギー抑制可能量提示部）
３６ｈ    抑制要求受付部
３６ｉ    抑制制御部
３６ｊ    フォロー制御部
３６ｋ    他設備制御部
３６ｌ    快／不快決定部
４０      空調機
４１      室外機
４２      室内機
２３３    入力部
２３５    記憶部
２３６ｃ  受付部
２３６ｆ  候補時間帯決定部
２３６ｇ  選択部
Ａ、Ｂ    物件
【先行技術文献】
【特許文献】
【０２３９】
【特許文献１】特開２００３−３０４６３７号公報
【図１】
0005621720.tif 000002
【図２】
0005621720.tif 000003
【図３】
0005621720.tif 000004
【図４】
0005621720.tif 000005
【図５】
0005621720.tif 000006
【図６】
0005621720.tif 000007
【図７】
0005621720.tif 000008
【図８】
0005621720.tif 000009
【図９】
0005621720.tif 000010
【図１０】
0005621720.tif 000011
【図１１】
0005621720.tif 000012
【図１２】
0005621720.tif 000013
【図１３】
0005621720.tif 000014
【図１４】
0005621720.tif 000015
【図１５】
0005621720.tif 000016
【図１６】
0005621720.tif 000017
【図１７】
0005621720.tif 000018
【図１８】
0005621720.tif 000019
【図１９】
0005621720.tif 000020
【図２０】
0005621720.tif 000021